(57)【要約】【課題】筐体に発生するノイズの影響を受けないレンズ鏡筒を提供する。【解決手段】配線板１６Ａは、例えば、折り曲げ可能なフレキシブルプリント配線板であって、両面に配線１７，１８がそれぞれ施されている。配線１７は、面１６ａに施され、レンズＣＰＵ８と防振回路部１４とを電気的に接続する。配線１８は、レンズ筐体１１と対向する面１６ｂに施され、接点２４ａを介して信号ライン２４と接続される。レンズ鏡筒１００のレンズ筐体１１に沿って配線板１６Ａを配置する場合に、配線１８を、ＧＧＮＤと同電位にすると共に、シールドパターンとして、レンズ筐体１１に発生するノイズが、配線１７に伝達することをシールドする。【選択図】        図１
2005003766.tif 000002
【特許請求の範囲】
【請求項１】
カメラボディに装着可能であって、前記カメラボディの電位を共有するレンズ鏡筒において、
導電性部分を有する筐体と、
前記導電性部分を介して前記カメラボディと直接接続する第１基準電位部と、
電気接点を介して前記カメラボディの基準電位と接続する第２基準電位部と、
前記第１基準電位部と接続され、所望の撮影動作を制御する制御部と、
前記第２基準電位部と接続され、前記制御部と情報伝達可能な少なくとも１つの電子回路と、
前記筐体付近に配置され、前記制御部と前記電子回路とを電気的に接続する配線板と、
前記配線板と前記筐体との間に配置され、前記第２基準電位部と接続されると共に、前記筐体に発生するノイズが前記配線板に伝達されることをシールドするシールド部と、
を備えたレンズ鏡筒。
【請求項２】
請求項１に記載のレンズ鏡筒において、
前記配線板の両面には、配線が施され、
前記両面のうち前記筐体と対向する面には、前記シールド部が形成されていること、
を特徴とするレンズ鏡筒。
【請求項３】
請求項１に記載のレンズ鏡筒において、
前記配線板の片面には、前記シールド部を含む少なくとも２種類の配線が施され、
前記配線板は、前記シールド部が他の前記配線と前記筐体との間に配置されるように、曲げられること、
を特徴とするレンズ鏡筒。
【請求項４】
請求項１から請求項３までのいずれか１項に記載のレンズ鏡筒において、
前記配線板は、折り曲げ可能なフレキシブルプリント配線板であること、
を特徴とするレンズ鏡筒。
【発明の詳細な説明】
【０００１】
【発明の属する技術分野】
本発明は、カメラボディに装着可能であって、カメラボディの電位を共有するレンズ鏡筒に関するものである。
【０００２】
【従来の技術】
近年、各種カメラボディに装着可能な交換レンズ（レンズ鏡筒）が普及している。撮影者は、カメラボディにレンズ鏡筒を装着したカメラシステムを用いて、撮影を行っている。カメラシステムには、撮影者等の外部操作により設定された所望の撮影動作を実行するために、各種電子回路が組み込まれている。
【０００３】
レンズ鏡筒に実装される電子回路は、その数、種類共に増加している。レンズ鏡筒は、複数の電子回路が電気的に接続され、組み合わされることにより、所望の撮影動作を実行するための機能を有することになる。
【０００４】
図６は、従来のカメラシステムを示す回路図である。
カメラシステム４００は、レンズ鏡筒１５０と、レンズ鏡筒１５０が装着されるカメラボディ２００等とを備えている。レンズ鏡筒１５０とカメラボディ２００は、マウント部６を介して電気的かつ物理的に接続されている。
【０００５】
カメラボディ２００は、ボディ筐体７と、電池１と、電源回路２と、ボディＣＰＵ３と、外部操作スイッチ群４と、スイッチ５等とを備えている。レンズ鏡筒１５０は、レンズ筐体１１と、レンズＣＰＵ８と、記憶部９と、相対距離エンコーダ１０と、電源モニタ１２と、駆動系回路であるＡＦ回路部１３及び防振回路部１４と、スイッチ１５−１，１５−２等とを備えている。
【０００６】
マウント部６は、例えば、電気接点（基準電位：ＧＧＮＤ）６Ａと、接点６−１，６−２，６−３，６−４，６−５と、筐体接点（基準電位：ＭＧＮＤ）６Ｂとを備えている。ボディ筐体７とレンズ筐体１１とは、筐体接点６Ｂを介して物理的に接触しており、共にＭＧＮＤを基準電位としている。
【０００７】
ボディＣＰＵ３は、ＧＮＤ端子３ａを介してボディ筐体７に接続されているので、ボディＣＰＵ３の電位は、ＭＧＮＤを基準電位としている。記憶部９、ＡＦ回路部１３及び防振回路部１４は、接点９ａ，１３ａ，１４ａを介して、ＧＧＮＤを基準電位とする信号ライン２４と接続されているので、ＧＧＮＤを基準電位としている。また、防振回路部１４は、信号ライン１４−１を介してレンズＣＰＵ８と電気的に接続されている。
【０００８】
レンズ鏡筒の大きさ（径等）は、性能（焦点距離、撮影倍率等）により異なる場合がある。径が小さくコンパクトなレンズ鏡筒に、複数の電子回路を実装する場合には、電子回路が近接することになり、ノイズが発生する可能性が大きくなる。このため、磁気シールドを備えたレンズ鏡筒が知られている（例えば、特許文献１参照）。
【０００９】
レンズ鏡筒内に実装された複数の電子回路を電気的に接続するための配線板としては、例えば、フレキシブルプリント配線板（ＦＰＣ）が知られている。ＦＰＣは、軽くて薄く、かつ折り曲げ可能であって、片面又は両面に導体（銅箔等）が施されており、導電性の筐体等に配置される。
【００１０】
図７は、従来のＦＰＣを用いたカメラシステムの回路図である。以下、図６に示した部材と同一部材には、同一符号を付し、説明を適宜省略する。
カメラシステム４００Ａは、カメラシステム４００と比べると、レンズ鏡筒１５０Ａ内に配線板１６を備えており、信号ライン１４−１の代わりに配線板１６を用いて、防振回路部１４とレンズＣＰＵ８とを電気的に接続した点が異なる。
配線板１６の片面には、配線（信号ライン）１７が施されており、レンズ鏡筒１５０Ａの防振回路部１４からの信号は、配線板１６の配線１７を介して、レンズＣＰＵ８に入力される。また、配線板１６は、折り曲げ可能なＦＰＣであって、レンズ鏡筒１５０Ａ内の適宜の隙間に配置することができる。
【００１１】
【特許文献１】
特開平６−２６５７７１号公報（第１０−１１頁、第１７図）
【００１２】
【発明が解決しようとする課題】
しかし、上述したカメラシステムに含まれる従来のレンズ鏡筒では、以下のような課題があった。
（１）筐体接点６Ｂを介して接続され、ＭＧＮＤを基準電位としたレンズ筐体１１と、電気接点６Ａを介して接続され、ＧＧＮＤを基準電位とした信号ライン２４とは、給電経路が異なり、カメラシステム４００の撮影動作によっては、レンズ筐体１１と信号ライン２４との間に電位差が発生してしまう。この結果、レンズ筐体１１にノイズが発生して、信号ライン２４は、ノイズの影響を受けてしまう。
【００１３】
ここで、ノイズが発生する原理を概略的に説明する。
レンズ鏡筒１５０は、カメラボディ２００の電池１から給電されており、給電経路の基準電位としては、上述したように、ＭＧＮＤとＧＧＮＤとがある。
ＧＧＮＤは、マウント部６の電気接点６Ａを介して給電される経路の基準電位であって、この給電経路は、例えば、記憶部９、ＡＦ回路部１３及び防振回路部１４を含む。ＭＧＮＤは、マウント部６の筐体接点６Ｂを介して給電される経路の基準電位であって、この給電経路は、レンズ筐体１１を接地（アース）すると共に、レンズＣＰＵ８を含む。
【００１４】
ＭＧＮＤは、レンズ筐体１１の電位を安定させために接地されているが、カメラシステム４００の動作状態（ストロボ充電中等、過大な電流が流れるような状態）では、レンズ筐体１１の電位が急激に変化してしまい、ＧＧＮＤと電位差が生じてしまう。このために、レンズ筐体１１にノイズが発生する。
【００１５】
（２）磁気シールドを備えたレンズ鏡筒では、操作環状態検出部に磁気シールドを配置するために、光学系周辺部材の配置を変更しなくてはならず、レンズ鏡筒の設計上の自由度が損なわれる場合があった。
【００１６】
（３）カメラシステム４００Ａでは、例えば、カメラボディ２００又はレンズ鏡筒１５０Ａでアクチュエータ等を駆動して、過大な電流が電気接点６Ａに流れ込む場合には、ＧＧＮＤとＭＧＮＤ間に電位差が発生する。レンズ筐体１１は、ＭＧＮＤを基準電位としており、配線板１６の配線１７は、ＧＧＮＤを基準電位としている。このため、ＧＧＮＤとＭＧＮＤ間の電位差が急激に変化すると、レンズ筐体１１に発生したノイズが配線１７に伝達されてしまう。
【００１７】
本発明の課題は、筐体に発生するノイズの影響を受けないレンズ鏡筒を提供することである。
【００１８】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、カメラボディ（２００）に装着可能であって、前記カメラボディ（２００）の電位を共有するレンズ鏡筒（１００）において、導電性部分を有する筐体（１１）と、前記導電性部分を介して前記カメラボディ（２００）と直接接続する第１基準電位部（７，６Ｂ，１１）と、電気接点（６Ａ）を介して前記カメラボディ（２００）の基準電位と接続する第２基準電位部（２４）と、前記第１基準電位部（７，６Ｂ，１１）と接続され、所望の撮影動作を制御する制御部（８）と、前記第２基準電位部（２４）と接続され、前記制御部（８）と情報伝達可能な少なくとも１つの電子回路（９，１３，１４）と、前記筐体（１１）付近に配置され、前記制御部（８）と前記電子回路（９，１３，１４）とを電気的に接続する配線板（１６Ａ，１６Ｂ）と、前記配線板（１６Ａ，１６Ｂ）と前記筐体（１１）との間に配置され、前記第２基準電位部（２４）と接続されると共に、前記筐体（１１）に発生するノイズが前記配線板（１６Ａ，１６Ｂ）に伝達されることをシールドするシールド部（１８）と、を備えたレンズ鏡筒である。
【００１９】
請求項２の発明は、請求項１に記載のレンズ鏡筒において、前記配線板（１６Ａ）の両面（１６ａ，１６ｂ）には、配線（１７，１８）が施され、前記両面（１６ａ，１６ｂ）のうち前記筐体（１１）と対向する面（１６ｂ）には、前記シールド部（１８）が形成されていること、を特徴とするレンズ鏡筒である。
【００２０】
請求項３の発明は、請求項１に記載のレンズ鏡筒において、前記配線板（１６Ｂ）の片面（１６−１，１６−２）には、前記シールド部（１８）を含む少なくとも２種類の配線（１７，１８）が施され、前記配線板（１６Ｂ）は、前記シールド部（１８）が他の前記配線（１７）と前記筐体（１１）との間に配置されるように、曲げられること、を特徴とするレンズ鏡筒である。
【００２１】
請求項４の発明は、請求項１から請求項３までのいずれか１項に記載のレンズ鏡筒において、前記配線板（１６Ａ，１６Ｂ）は、折り曲げ可能なフレキシブルプリント配線板であること、を特徴とするレンズ鏡筒である。
【００２２】
【発明の実施の形態】
以下、図面等を参照しながら、本発明の実施形態について、更に詳しく説明する。
（第１実施形態）
図１は、本発明によるレンズ鏡筒の第１実施形態を示す回路図である。なお、レンズ鏡筒の機能等を説明するために、カメラボディについても併せて説明する。
カメラシステム３００は、レンズ鏡筒１００と、レンズ鏡筒１００が装着されるカメラボディ２００等とを備えている。レンズ鏡筒１００とカメラボディ２００は、マウント部６を介して電気的かつ物理的に接続されている。
【００２３】
カメラボディ２００は、例えば、導電性部分を有するボディ筐体７と、電池１と、電源回路２と、ボディＣＰＵ３と、外部操作スイッチ群４と、スイッチ５等とを備えている。また、上述した各部材は、ボディＣＰＵ３を介して電気的に接続されている。電源回路２は、電圧を安定に保つための回路である。外部操作スイッチ群４は、撮影者等による外部操作によって切換えられるスイッチである。スイッチ５は、例えば、レンズ鏡筒１００内の駆動系回路に電源を供給するためのスイッチである。
【００２４】
レンズ鏡筒１００は、例えば、導電性部分を有するレンズ筐体１１と、レンズＣＰＵ８と、記憶部９と、相対距離エンコーダ１０と、電源モニタ１２と、駆動系回路であるＡＦ回路部１３及び防振回路部１４と、スイッチ１５−１，１５−２と、配線板１６Ａ等とを備えている。また、上述した各部材は、レンズＣＰＵ８を介して電気的に接続されている。
記憶部９は、不揮発性メモリであって、記憶されたデータを電源オフ時にも保持する。相対距離エンコーダ１０は、ＡＦに用いられる超音波モータ（不図示）の駆動状態により、２相のパルスをレンズＣＰＵ８に出力する。電源モニタ１２は、カメラボディ１００からスイッチ５を介して供給される駆動系回路の電源を監視して、異常時にはレンズＣＰＵ８に信号を出力する。
【００２５】
ＡＦ回路部１３は、例えば、レンズＣＰＵ８の指示に従い、超音波モータを制御すると共に、超音波モータの駆動状態をレンズＣＰＵ８に出力する。防振回路部１４は、ブレ補正を行うための駆動ユニットであって、レンズＣＰＵ８の指示に従い、ＶＣＭ等を制御すると共に、ＶＣＭ等の駆動状態をレンズＣＰＵ８に出力する。
【００２６】
スイッチ１５−１は、各種撮影動作を実行するための切換部であって、例えば、ズームレンズ群の位置により切り替わるｚｏｏｍスイッチと、外部操作によりフォーカスモードの切替を行うＡＦスイッチと、外部操作によりブレ補正等のモードの切替を行うＶＲスイッチ及びＭＯＤＥスイッチとを備えている。スイッチ１５−２は、例えば、レンズ鏡筒１００内のその他のモードを設定するための切換部である。
【００２７】
マウント部６は、例えば、電気接点（基準電位：ＧＧＮＤ）６Ａと、接点６−１，６−２，６−３，６−４，６−５と、筐体接点（基準電位：ＭＧＮＤ）６Ｂとを備えている。
筐体接点６Ｂでは、電池１と接続されたボディ筐体７を接地（アース）して、ボディ筐体７とレンズ筐体１１とをマウント部分６でビス等の金属により物理的に接触させている。このため、ボディ筐体７とレンズ筐体１１は、同電位であって、共にＭＧＮＤを基準電位としている。
【００２８】
ボディ筐体７とレンズ筐体１１とを接続して、電池１の電位に固定する理由としては、ボディ筐体７とレンズ筐体１１は、導電性の物質（金属等）により形成されている導電性部分を有しており、電位を固定していない場合には、電位が不安定に変化して、近接する電子回路に影響を与える点が挙げられる。
【００２９】
つぎに、レンズ鏡筒１００の電位について詳細に説明する。
ボディＣＰＵ３は、ＧＮＤ端子３ａを介してボディ筐体７に接続されているので、ボディＣＰＵ３の電位は、ＭＧＮＤを基準電位としている。外部操作スイッチ群４は、ボディＣＰＵ３とボディ筐体７との間に配置されているので、同じく、ＭＧＮＤを基準電位としている。
【００３０】
記憶部９、ＡＦ回路部１３及び防振回路部１４は、接点９ａ，１３ａ，１４ａを介して、ＧＧＮＤを基準電位とする信号ライン２４と接続されているので、ＧＧＮＤを基準電位としている。
レンズＣＰＵ８は、デジタル回路とアナログ回路とを備え、接点６−３、６−４、６−５を介してボディＣＰＵ３とデジタル信号に基づいた通信を行うためのデジタル回路は、ＭＧＮＤを基準電位としており、同じく、アナログ信号を処理する電子回路である記憶部９、ＡＦ回路部１３及び防振回路部１４の制御を行うためのアナログ回路は、ＧＧＮＤを基準電位としている。
【００３１】
以下、レンズ鏡筒１００に発生するノイズについて詳細に説明する。
撮影者等によって外部操作スイッチ群４が切換えられると、撮影動作によっては、カメラボディ２００に過大な電流が発生して、電池１のマイナス端子に流れ込み、ＧＧＮＤを基準とした給電経路に電流が流れることになる。
また、カメラボディ２００からスイッチ５を介して供給される駆動系回路の電源により、ＡＦ回路部１３又は防振回路部１４が駆動する場合には、レンズ鏡筒１００内の信号ライン２４に電流が流れ、さらに、電気接点６Ａを介してカメラボディ２００内のＧＧＮＤを経て、電池１のマイナス端子に電流が流れ込む。
【００３２】
レンズ筐体１１とボディ筐体７は、筐体接点６Ｂを介して物理的に接触することにより、ＭＧＮＤを基準電位としている。このため、ボディ筐体７上の外部操作スイッチ群４との各接点間の接触抵抗は、厳密に管理される必要はなく、ボディ筐体７に過大な電流が流れると、ＭＧＮＤが大きく変化してしまう。
【００３３】
一方、信号ライン２４に接続され、ＧＧＮＤを基準電位とするＡＦ回路部１３及び防振回路部１４は、駆動系回路であって、適切な駆動量を確保するために、電源モニタ１２等によって、電気抵抗が厳密に管理されている。このため、信号ライン２４の電位は、ＭＧＮＤと比べて安定している。
【００３４】
ここで、カメラボディ２００に過大な電流が流れた場合には、ＧＧＮＤとＭＧＮＤ間の抵抗値の相違による電位差が発生する。この電位差は、ＭＧＮＤとの接点が多い（すなわち、複数の電子回路が近接している）レンズ鏡筒１００で特に顕著となる。したがって、レンズ筐体１１にノイズが発生して、信号ライン２４に影響を与える場合が想定される。
【００３５】
本実施形態におけるレンズ鏡筒１００では、レンズ鏡筒１００のレンズ筐体１１に沿って配線板１６Ａを配置することにより、上述したノイズがレンズ筐体１１付近の電子回路に影響を与えないようにした。
以下、具体的に説明する。
配線板１６Ａは、例えば、折り曲げ可能なフレキシブルプリント配線板（ＦＰＣ）であって、レンズ筐体１１付近に配置され、配線１７，１８を備えている。配線１７は、信号ラインであって、レンズＣＰＵ８と防振回路部１４とを電気的に接続する。配線１８は、シールドパターンであって、配線１７と筐体１１との間に配置され、接点２４ａを介して信号ライン２４と接続される。
【００３６】
図２は、レンズ筐体１１と配線板１６Ａとの配置関係を示す概念図である。なお、レンズ鏡筒１００の回路図と対応させるために、レンズ鏡筒１００の回路を回路１００ａ，１００ｂに分けて説明する。
レンズ筐体１１の一端には、回路１００ａが設けられ、他端には、回路１００ｂが設けられている。回路１００ａは、レンズＣＰＵ８を備えており、コネクタ２０を介して配線板１６Ａの一端が接続されている。回路１００ｂは、防振回路部１４を備えており、コネクタ２１を介して配線板１６Ａの他端が接続されている。
【００３７】
防振回路部１４とレンズＣＰＵ８とは、配線１７を介して電気的に接続されている。配線板１６Ａは、レンズ筐体１１付近に配置され、配線１７とレンズ筐体１１との間に、シールドパターンである配線（図中、一点鎖線）１８が配置される。レンズＣＰＵ８のＧＮＤ端子８ａには、導線２３が接続されており、導線２３は、ビス１１ａ等を介してレンズ筐体１１に接続されている。
【００３８】
図３は、配線板１６Ａの説明図である。
配線板１６Ａは、図示のように、両面に配線１７，１８が施されている。配線板１６Ａは、面１６ａ（図中（ａ））と、面１６ａとは異なる面１６ｂ（図中（ｂ））とを備え、面１６ａには、配線（信号ライン）１７が施され、同じく、面１６ｂには、接点２４ａを介して信号ライン２４と接続され、ＧＧＮＤと同電位である配線（シールドパターン）１８が施されている。
【００３９】
配線板１６Ａは、配線１８が施された面１６ｂとレンズ筐体１１とが対向するように配置される。これにより、配線１８は、レンズ筐体１１と配線１７の間に配置されることになり、レンズ筐体１１に発生するノイズが配線１７に伝達されることを防止できる。
【００４０】
本実施形態によれば、（１）レンズ鏡筒１００のレンズ筐体１１に沿って配線板１６Ａを配置する場合に、配線板１６Ａの両面に配線１７，１８をそれぞれ施して、レンズ筐体１１と対向する面１６ｂに施された配線１８を、ＧＧＮＤと同電位にすると共に、シールドパターンとしたので、ＭＧＮＤとＧＧＮＤ間の電位差により発生するノイズが、配線１７に伝達することをシールドすることができる。
（２）配線板１６Ａの両面に配線１７，１８をそれぞれ施すようにしたので、配線板１６Ａは、特別な形状である必要がなく、さらに、配線板１６Ａのみでノイズをシールドできるので、コストダウンを図ることができる。
（３）配線板１６Ａは、フレキシブルプリント配線板であるので、レンズ筐体１１付近の隙間に沿って配置することができる。
【００４１】
（第２実施形態）
図４は、本発明によるレンズ鏡筒の第２実施形態を示す回路図である。以下に示すレンズ鏡筒では、第１実施形態におけるレンズ鏡筒１００と同一部材には同一符号を付し、重複部分についての説明を適宜省略する。
カメラシステム３００Ａは、第１実施形態におけるカメラシステム３００と比べると、レンズ鏡筒１００Ａに、配線板１６Ａの代わりに配線板１６Ｂを配置すると共に、レンズ筐体１１の付近に配線板１６Ｂを配置するときに、レンズ筐体１１と配線板１６Ｂとの間に、シールドパターンが施された配線１８を配置した点が異なる。
【００４２】
配線板１６Ｂの片面は略平行に分岐しており、配線１７が施された面１６−１と、配線１８が施された面１６−２とを有する。配線１７は、信号ラインであって、防振回路部１４とレンズＣＰＵ８とを電気的に接続する。配線１８は、例えば、シールドパターンであって、接点２４ａを介して信号ライン２４と接続され、ＧＧＮＤを基準電位としている。
【００４３】
図５は、配線板１６Ｂの説明図である。
配線板１６Ｂは、図中（ａ）に示すように、片面にのみ配線が施されている。配線板１６Ｂには、上述した配線（信号ライン）１７が施された面１６−１と同一側の面１６−２に、ＧＧＮＤと同電位である配線（シールドパターン）１８が施されている（図中（ａ））。配線板１６Ｂは、図中（ｂ）に示すように、配線１８が施された面１６−２を折り曲げることにより、レンズ筐体１１と配線１７の間に配線１８を配置する。
【００４４】
本実施形態によれば、（１）配線板１６Ｂの片面を分岐させて、面１６−１に信号ラインである配線１７を施し、面１６−２にシールドパターンである配線１８を施して、配線１７とレンズ筐体１１との間に配線１８を配置するようにしたので、ＭＧＮＤとＧＧＮＤ間の電位差によりノイズが発生しても、配線１７は、ノイズの影響を受けない。
（２）配線１８が施された面１６−２は、折り曲げられるので、配線１７とレンズ筐体１１との間であって、ノイズをシールドすることができる位置であれば、適宜の位置に配置することができる。
【００４５】
（変形形態）
以上説明した実施形態に限定されることなく、種々の変形や変更が可能であって、それらも本発明の均等の範囲である。
（１）上述した実施形態では、配線板１６Ａ，１６Ｂは、レンズＣＰＵ８と防振回路部１４とを電気的に接続したが、レンズＣＰＵ８と電気的に接続され、双方向で通信を行う電子回路であれば、適宜の電子回路（例えば、記憶部９、ＡＦ回路部１３）とレンズＣＰＵ８とを配線１７を介して接続するようにしてもよい。
【００４６】
（２）配線板１６Ａの面１６ｂに施された配線１８、及び／又は、配線板１６Ｂの片面１６−２に施された配線１８は、レンズ筐体１１からのノイズを配線１７に伝達しないようにシールドできるのであれば、適宜のパターン（例えば、メッシュによるパターン）を施してもよい。
【００４７】
（３）配線板１６Ａ，１６Ｂは、フレキシブルプリント配線板としたが、筐体１１からのノイズが配線１７に伝達しないようにシールドできるのであれば、例えば、配線１７と筐体１１との間に銅箔テープを配置して、銅箔テープをリード線等で結んで接地するようにしてもよい。
【００４８】
（４）配線板１６Ｂの片面は、略平行に分岐することにより、配線１７を施された面１６−１と、配線１８を施された面１６−２とを有しているが、配線板１６Ｂは折り曲げ可能であるので、配線１８が配線１７とレンズ筐体１１との間に配置されるのであれば、略平行に限らず、適宜の方向に分岐してもよい。
【００４９】
【発明の効果】
以上詳しく説明したように、（１）導電性部分を介してカメラボディと直接接続する第１基準電位部と接続され、所望の撮影動作を制御する制御部と、電気接点を介してカメラボディの基準電位と接続する第２基準電位部と接続され、制御部と情報伝達可能な少なくとも１つの電子回路とを備え、制御部と電子回路とを電気的に接続する配線板を、筐体付近に配置して、さらに、筐体に発生するノイズが配線板に伝達されることをシールドするシールド部を、第２基準電位部と接続すると共に、配線板と筐体との間に配置するようにしたので、配線板に施された配線（信号ライン）にノイズが伝達することを防止することができる。
【００５０】
（２）配線が施された配線板の両面のうち筐体と対向する面には、シールド部が形成されているので、筐体に発生するノイズが、制御部と電子回路とを電気的に接続する配線に伝達することを防止できる。
【００５１】
（３）配線板の片面には、シールド部を含む少なくとも２種類の配線が施され、配線板は、シールド部が他の配線と筐体との間に配置されるように、曲げられるので、シールド部は、ノイズをシールドすることができる位置であれば、適宜の位置に配置することができる。
【００５２】
（４）配線板は、折り曲げ可能なフレキシブルプリント配線板であるので、筐体付近に沿った適宜の位置に配置することができる。
【図面の簡単な説明】
【図１】本発明によるレンズ鏡筒の第１実施形態を示す回路図である。
【図２】レンズ筐体１１と配線板１６Ａとの配置関係を示す概念図である。
【図３】配線板１６Ａの説明図である。
【図４】本発明によるレンズ鏡筒の第２実施形態を示す回路図である。
【図５】配線板１６Ｂの説明図である。
【図６】従来のカメラシステムを示す回路図である。
【図７】従来のＦＰＣを用いたカメラシステムの回路図である。
【符号の説明】
１  電池
３  ボディＣＰＵ
６  マウント部
６Ａ  電気接点
６Ｂ  筐体接点
７  ボディ筐体
８  レンズＣＰＵ
９  記憶部
１１  レンズ筐体
１３  ＡＦ回路部
１４  防振回路部
１６Ａ，１６Ｂ  配線板
１７，１８  配線
１００，１００Ａ  レンズ鏡筒
２００  カメラボディ
３００，３００Ａ  カメラシステム
【図１】
2005003766.tif 000003
【図２】
2005003766.tif 000004
【図３】
2005003766.tif 000005
【図４】
2005003766.tif 000006
【図５】
2005003766.tif 000007
【図６】
2005003766.tif 000008
【図７】
2005003766.tif 000009